(57)【要約】【課題】線状電極の延長方向における透過率の変動を低減することが可能な調光フィルムを提供することを目的とする。【解決手段】本発明の調光フィルム１は、複数の線状電極２２Ｂ及び配向膜２４Ａを有する第１の積層体１３と、配向膜２４Ｂを備えた第２の積層体１２と、前記第１の積層体１３と前記第２の積層体１２との間に挟持された液晶層１４と、前記線状電極２２Ｂと電気的に接続され、前記線状電極２２Ｂに電圧を供給する給電部３１と、を備え、前記給電部３１より前記線状電極２２Ｂに供給される電圧よって前記液晶層１４内に電界を生じさせ、前記液晶層１４内の液晶の向きを変更させて透過光を制御する調光フィルムにおいて、前記配向膜２４Ａの配向規制力方向に対する前記線状電極２２Ｂの傾き角度θが、前記給電部３１と前記線状電極２２Ｂとの接続点からの距離に応じて異なる。【選択図】図３
2018116208.tif 000002
【特許請求の範囲】
【請求項１】
複数の線状電極及び配向膜を有する第１の積層体と、
配向膜を備えた第２の積層体と、
前記第１の積層体と前記第２の積層体との間に挟持された液晶層と、
前記線状電極と電気的に接続され、前記線状電極に電圧を供給する給電部と、を備え、
前記給電部より前記線状電極に供給される電圧よって前記液晶層内に電界を生じさせ、前記液晶層内の液晶の向きを変更させて透過光を制御する調光フィルムにおいて、
前記配向膜の配向規制力方向に対する前記線状電極の傾き角度が、前記給電部と前記線状電極との接続点からの距離に応じて異なる
調光フィルム。
【請求項２】
前記線状電極の傾き角度が、前記給電部からの距離が離れるほど減少する、
請求項１に記載の調光フィルム。
【請求項３】
前記液晶がポジ型液晶であり、
前記線状電極の傾き角度が２度以上１５度以下である、
請求項２に記載の調光フィルム。
【請求項４】
前記液晶がネガ型液晶であり、
前記線状電極の傾き角度が９２度以上１０５度以下である、
請求項２に記載の調光フィルム。
【請求項５】
前記第１の積層体は、
第１の基材上に、透明電極、絶縁層、前記線状電極が積層されている
請求項１から４のいずれか１項に記載の調光フィルム。
【発明の詳細な説明】
【技術分野】
【０００１】
本発明は、乗用車の窓等に貼り付けて外来光の透過を制御する調光フィルムに関する。
【背景技術】
【０００２】
従来、例えば窓に貼り付けて外来光の透過を制御する調光フィルムに関する工夫が種々に提案されている（特許文献１、２）。このような調光フィルムの１つに、液晶を利用したものがある。この液晶を利用した調光フィルムは、透明電極が作製された透明フィルム材により液晶材料を挟持して液晶セルが作製され、この液晶セルを直線偏光板により挟持する。そして、この調光フィルムは、液晶に印加する電界を調整することにより液晶の配向を変更して外来光の透過光量を制御する。
【０００３】
液晶セルの駆動には、液晶表示パネルについて提案されている種々の駆動方法を適用することができる。具体的には、例えばＴＮ（Ｔｗｉｓｔｅｄ  Ｎｅｍａｔｉｃ）方式、ＩＰＳ（Ｉｎ−Ｐｌａｎｅ−Ｓｗｉｔｃｈｉｎｇ）方式、ＶＡ（Ｖｉｒｔｉｃａｌ  Ａｌｉｇｎｍｅｎｔ）方式等の駆動方式を適用することができる。ここで、調光フィルムは、例えば窓ガラスに貼り付けて種々の方向より観察される。この観点からすると、視野角依存性の少ないＩＰＳ方式が好ましい。
【０００４】
ＩＰＳ方式は、液晶層を挟持する１対の基材のうちの一方の基材に駆動用の電極をまとめて作製し、この電極により基材表面の面内方向の電界であるいわゆる横電界を形成して液晶の配向を制御する駆動方式である。このＩＰＳ方式の１つであるＦＦＳ（Ｆｉｅｌｄ  Ｆｒｉｎｇｅ  Ｓｗｉｔｃｈｉｎｇ）方式は、透過率を高くすることができる。ＦＦＳ方式では、基材の全面に、透明電極を作製した後、絶縁層を間に挟んで一定のピッチにより線状電極を作製し、この全面の透明電極と線状電極との間で発生する横電界により液晶の配向を制御する（参考文献３）。
【先行技術文献】
【特許文献】
【０００５】
【特許文献１】特開平０３−４７３９２号公報
【特許文献２】特開平０８−１８４２４３号公報
【特許文献３】特開平１１−９４８８０号公報
【発明の概要】
【発明が解決しようとする課題】
【０００６】
ＩＰＳ方式、特にＦＦＳ方式による調光フィルムでは、線状電極の抵抗値によって線状電極の延長方向で電圧降下が生じるので、線状電極の延長方向で液晶内に生じる横電界の電界強度が変化する。
その結果、ＦＦＳ方式等による調光フィルムでは、線状電極の延長方向で透過率が変化し、例えば周辺部に比して中央部で透過率が低下する。このような透過率の低下は、調光フィルムの性能を低下させる。
本発明はこのような状況に鑑みてなされたものであり、線状電極の延長方向における透過率の変動を低減することが可能な調光フィルムを提供することを目的とする。
【課題を解決するための手段】
【０００７】
本発明は、具体的には、本発明では、以下のようなものを提供する。
（１）複数の線状電極及び配向膜を有する第１の積層体と、配向膜を備えた第２の積層体と、前記第１の積層体と前記第２の積層体との間に挟持された液晶層と、前記線状電極と電気的に接続され、前記線状電極に電圧を供給する給電部と、を備え、前記給電部より前記線状電極に供給される電圧よって前記液晶層内に電界を生じさせ、前記液晶層内の液晶の向きを変更させて透過光を制御する調光フィルムにおいて、前記配向膜の配向規制力方向に対する前記線状電極の傾き角度が、前記給電部と前記線状電極との接続点からの距離に応じて異なる調光フィルム。
（２）  （１）において、前記線状電極の傾き角度が、前記給電部からの距離が離れるほど減少する。
（３）  （２）において、前記液晶がポジ型液晶であり、前記線状電極の傾き角度が２度以上１５度以下である。
（４）  （２）において、前記液晶がネガ型液晶であり、前記線状電極の傾き角度が９２度以上１０５度以下である。
（５）  （１）から（４）のいずれかにおいて、前記第１の積層体は、第１の基材上に、透明電極、絶縁層、前記線状電極が積層されている。
【発明の効果】
【０００８】
本発明によれば、線状電極の延長方向における透過率の変動を低減することが可能な調光フィルムを提供することができる。
【図面の簡単な説明】
【０００９】
【図１】本発明の実施形態に係る調光フィルム１を備えた車両を示す図である。
【図２】本発明の第１実施形態に係る調光フィルム１を示す断面図である。
【図３】下側積層体１３の平面図であり、下側積層体１３における線状電極２２Ｂの配置を示す。
【図４】図３の下側積層体１３における領域Ｓにおける線状電極２２Ｂと、液晶分子１４Ａとの関係を示す図である。
【図５】線状電極２２Ｂの電圧と液晶層１４の透過率との関係を、線状電極２２Ｂと配向規制力方向Ｚとのなす角度θを変えてシュミレーションした結果である。
【図６】第２実施形態における下側積層体１３の平面図（前上から見下ろした図）であり、下側積層体１３における線状電極２２Ｂの配置を示す。
【図７】図６の領域Ｓにおける線状電極２２Ｂと、液晶分子１４Ａとの関係を示す図である。
【発明を実施するための形態】
【００１０】
（車両）
図１は、本発明の実施形態に係る調光フィルム１を備えた車両を示す図である。車両１３０は、サンルーフ１３２を備え、このサンルーフ１３２に調光フィルム１が貼り付けられている。車両１３０には、搭乗者の頭上を覆うように開口１３１が設けられ、この開口１３１に、調光フィルム１の積層体が配置されてサンルーフ１３２が形成されている。
なお、調光フィルム１の取付対象は、本実施形態のようにサンルーフに限定されず、ショーウィンド、車両におけるその他の窓、建物の窓等も適用可能である。
【００１１】
本実施形態の車両１３０は、運転席が車両の右側前部に配置され、調光フィルム１が、サンルーフ１３２を形成する透明板部材に、粘着剤、接着剤等により積層した積層体として用いられている。なお貼り付けにより保持するだけでなく、例えば合わせガラスの中間材に適用して調光フィルム１を配置してもよい。
【００１２】
（調光フィルム）
図２は、本発明の第１実施形態に係る調光フィルム１を示す断面図である。調光フィルム１は、液晶を利用して透過光を制御する調光フィルムであり、それぞれフィルム形状の第１及び第２の積層体である下側積層体１３及び上側積層体１２により液晶層１４を挟持して液晶セル１５が作製され、液晶セル１５を直線偏光板１６、１７により挟持して作製されている。
【００１３】
液晶セル１５は、シングルドメインのＦＦＳ方式により液晶層１４に係る液晶分子１４Ａを駆動する横電界方式の液晶セルである。直線偏光板１６、１７はクロスニコル配置により配置される。下側積層体１３は、基材２１Ａの全面に、ＦＦＳ方式に係る透明電極２２Ａが形成され、絶縁層２３を間に挟んで透明の線状電極２２Ｂが形成され、続いて配向膜２４Ａが設けられている。また上側積層体１２は、基材２１Ｂに配向膜２４Ｂが設けられている。
【００１４】
調光フィルム１には、液晶層１４の厚みを一定に保持するためのスペーサー２４が上側積層体１２及び又は下側積層体１３に設けられている。直線偏光板１６、１７には、それぞれ液晶セル１５側に光学補償に供する位相差フィルム１８、１９が設けられている。なお位相差フィルム１８、１９は、必要に応じて省略してもよい。調光フィルム１は、電極２２Ａ、２２Ｂ間の印加電圧を変更することにより、液晶層１４に係る液晶分子１４Ａの配向方向を変更して入射光の透過を制御し、透過光量を変化させる。なお調光フィルム１は、直線偏光板１６及び又は１７の液晶セル１５とは逆側の面に、ハードコート層等による保護層が設けられている。
【００１５】
（基材）
基材２１Ａ、２１Ｂは、液晶セル１５に適用可能な可撓性を有する各種の透明フィルム材を適用することができ、本実施形態では、両面にハードコート層が作製されてなるポリカーボネート等によるフィルム材が適用される。電極２２Ａ、２２Ｂは、透明と知覚される種々の構成を広く適用することができ、本実施形態では、透明電極材であるＩＴＯ（酸化インジウムスズ，Ｉｎｄｉｕｍ  Ｔｉｎ  Ｏｘｉｄｅ）による透明導電膜を基材２１Ａの全面に作製して透明電極２２Ａが作製される。また同様にして基材２１Ａの全面にＩＴＯによる透明導電膜を作製した後、パターニングして線状電極２２Ｂが作製される。
【００１６】
（絶縁層）
絶縁層２３は、この種の液晶セルに適用可能な各種の透明絶縁材料を適用することができ、各種の無機材料、有機材料を適用することができる。
【００１７】
（配向膜）
配向膜２４Ａ、２４Ｂは、ポリイミド等の配向膜に適用可能な各種材料が適用され、この材料層の表面にラビングロールを使用したラビング処理により微細なライン状凹凸形状を作製して形成される。なおこのようなラビング処理による配向膜に代えて、ラビング処理により作製した微細なライン状凹凸形状を賦型処理により作製して配向膜を作製してもよく、また光配向膜により作製してもよい。
【００１８】
（スペーサー、シール剤）
スペーサー２４は、各種の樹脂材料を広く適用することができるが、本実施形態ではフォトレジストにより作製される。なお液晶セル１５は、液晶層１４を囲む枠形状によりシール剤２５が配置され、このシール剤２５により液晶層１４に係る液晶の漏出が防止され、さらには上側積層体１２及び下側積層体１３が一体に保持される。ここでシール剤２５は、液晶の漏出を防止すると共に、上側積層体１２及び下側積層体１３を一体に保持可能な種々の材料を適用することができるが、本実施形態では、例えばエポキシ樹脂剤による熱硬化型樹脂やアクリル樹脂剤による紫外線硬化樹脂、熱及び紫外線で硬化する硬化樹脂等が適用される。
【００１９】
（直線偏光板）
直線偏光板１６、１７は、いわゆるシート・ポラライザーであり、ポリビニルアルコール（ＰＶＡ）にヨウ素等を含浸させた後、延伸して偏光子としての光学的機能を果たす光学機能層が形成され、ＴＡＣ（トリアセチルセルロース）等の透明フィルム材による基材により光学機能層を挟持して作製される。
【００２０】
（第１実施形態）
次に、本発明の第１実施形態について説明する。本実施形態では、液晶層１４において、液晶材料としてポジ型液晶が用いられる。ポジ型液晶とは、液晶の誘電率異方性が正の液晶である。
図３は、図１に示したように車両１３０のサンルーフ１３２に貼り付けられた状態の調光フィルム１における下側積層体１３の平面図（前上から見下ろした図）であり、下側積層体１３における線状電極２２Ｂの配置を示す。
図中、図中矢印Ｙで示す方向が、車両の進行方向で、図中Ａで示す位置が運転席、Ｂで示す位置が助手席、Ｃで示す位置が後部座席の位置である。
なお、調光フィルム１は、これに限定されないが、例えば、長手方向が１２０ｃｍ、短手方向が８０ｃｍ程度の略矩形形状で、線状電極２２Ｂの太さは５〜８μｍである。
【００２１】
（給電部）
図示するように、下側積層体１３の外周を囲む４つの側辺のうちの、車両１３０の進行方向Ｙと平行に延びる２つの側辺に沿って、ライン状の給電部３１が形成されている。給電部３１には、図示しない電源より電圧が供給され、給電部３１より線状電極２２Ｂに液晶駆動用の電圧が供給される。
給電部３１は、銅等による抵抗値の小さな金属層により形成され、これにより給電部３１内における電圧降下を低減している。
なお、給電部３１は、必要に応じて種々の部位に設けることができ、例えば下側積層体１３の一方の端部にのみ設けるようにしてもよく、下側積層体１３を囲む枠形状にしてもよく、さらには中央部に設けるようにしてもよい。
本実施形態では、線状電極２２Ｂにおける延長方向の両端が給電部３１に接続されている。
【００２２】
（線状電極）
図３に示すように、線状電極２２Ｂは、下側積層体１３におけるＹ方向の中央を通り且つ当該Ｙ方向と直交するＸ方向に延びる中央線Ｘ０に対して線対称、且つ、下側積層体１３におけるＸ方向の中央を通り且つＹ方向に延びる中央線Ｙ０に対して線対称である。
すなわち中央線Ｘ０と、中央線Ｙ０とで４分割され、それぞれの領域の線状電極２２Ｂの配置形状は、中央線Ｘ０と中央線Ｙ０の交点Ｏを中心とした点対称形状に配置されている。
【００２３】
給電部３１は図示しない電源部に接続され、線状電極２２Ｂには給電部３１を介して電圧が供給される。この際、線状電極２２Ｂにおいて、給電部３１から供給された電圧は、給電部３１からの距離が離れるにつれて降下する。したがって下側積層体１３の中央部（交点Ｏの周辺）においては、線状電極２２Ｂの電圧が低くなる。
【００２４】
（線状電極２２Ｂの傾き）
図４は、図３の下側積層体１３における領域Ｓにおける線状電極２２Ｂと、液晶分子１４Ａとの関係を示す図である。図中矢印Ｚは、配向膜２４Ａ，２４Ｂのラビング方向、即ち配向膜２４Ａ，２４Ｂの配向規制力方向Ｚである。液晶分子１４Ａの長軸は無電解時において、配向規制力方向Ｚを向いたノーマリーブラックの状態である。なお、ノーマリーブラックとは、液晶に電圧がかかっていない時に透過率が最小となり、黒い画面になる構造である。
また、線状電極２２Ｂの延長方向と、配向規制力方向Ｚとのなす角度（鋭角方向）をθとする。なお、本実施形態では、配向規制力方向Ｚと、車両の進行方向Ｙとは直交し、すなわち配向規制力方向ＺとＸ方向とは一致している。
【００２５】
（液晶と線状電極の関係）
図５は線状電極２２Ｂの電圧と液晶層１４の透過率との関係を、線状電極２２Ｂと配向規制力方向Ｚとのなす角度θを変えてシュミレーションした結果である。角度θは、２度、５度、１０度、１５度、２５度とした。
図示するように、線状電極２２Ｂの電圧を上げていくと、透過率は徐々に上がるが、ピークを超えると減少していく。ピーク電圧は、角度θが小さいほうが低い。すなわち、電圧を上げていったときに、所定の透過率に到達する電圧は、角度θが小さいほうが低い。例えば透過率０．２８５に到達する電圧は、θが２度のときの４．１Ｖ程度、θが５度のとき４．３Ｖ程度、θが１０度のとき４．７Ｖ程度、θが１５度のとき５．６Ｖ程度である。
【００２６】
図３に戻り、本実施形態において線状電極２２Ｂの角度θは、給電部３１との電気的接続点からの距離が離れるに従って、徐々に減少し、給電部３１と電気的に接続している外周部で最も大きく、そこから離れるに従って、徐々に減少し、中央部がもっとも小さい。
具体的には、中央の点Ｏ付近において角度θは２度程度であり、周辺部に行くほど、少しずつ角度が大きくなり、最大１５度程度である。図中、ラインＬ２，Ｌ５，Ｌ１０，Ｌ１５はそれぞれ角度θが２度，５度，１０度，１５度の位置を結ぶ線である。すなわち、線状電極２２Ｂにおいて、ラインＬ２と交差する点での角度θは２度、ラインＬ５と交差する点での角度θは５度、ラインＬ１０と交差する点での角度θは１０度、ラインＬ１５と交差する点での角度θは１５度である。
【００２７】
例えば、給電部３１から５Ｖの電圧を線状電極２２Ｂに供給したとする。そうすると、線状電極２２Ｂにおいて、給電部３１からの距離が遠くなるにしたがって電圧が降下し、例えば、ラインＬ１５と交差する位置で４．８５Ｖ、ライン１０と交差する位置で４．３５Ｖ、ライン５と交差する位置で４．１５Ｖ、ライン２と交差する位置で４．０５Ｖとなる。
【００２８】
このように、線状電極２２Ｂにおいて、給電部３１からの距離が遠くなるにしたがって電圧が降下しても、本実施形態では、線状電極２２Ｂは、中央部（点Ｏ付近）の角度θが小さく、外周部のθが大きい。
したがって、中央部のラインＬ２上においては電圧４．０５Ｖであっても、角度θが２度であるので、透過率０．２８５となる。ラインＬ５上においては電圧４．１５Ｖであるが、角度θが５度であるので透過率０．２８５となる。ラインＬ１０上においては電圧４．３５Ｖであるが、角度θが１０度であるので透過率０．２８５となる。ラインＬ１５上においては電圧４．８５Ｖであるが、角度θが５度であるので透過率０．２８５となる。すなわち、一例であるが、この場合、調光フィルム全体で透過率が一定の０．２８５を達成することができる。
【００２９】
比較形態として、線状電極２２Ｂの角度θが一定の場合、例えば、図５の１０度を例にする。この場合、給電部３１において供給される電圧がピーク電圧より低い５Ｖとすると、線状電極２２Ｂにおいて、給電部３１からの距離が遠くなるにしたがって電圧が降下するので、透過率も線形に減少する。したがって、中央部において透過率が低く、暗くなる。
【００３０】
これに対して、本実施形態は、配向方向に対する線状電極２２Ｂの傾きが、給電部３１から遠ざかるに従って減少している。
給電部３１において供給される電圧や角度θの変化の仕方によって、必ずしも、上述のように調光フィルム全体で透過率が一定の０．２８５となるわけではないが、これにより、比較形態と比べると、中央部における透過率の減少量は低減され、比較形態と比べると、線状電極２２Ｂの延長方向における透過率の変化を低減することができ、高品位の調光フィルム１を提供することができる。
【００３１】
なお、傾きθが大きすぎると、透過率の最大値が低下する。したがって十分な透過率を確保する観点からは、傾きθは、１５度以下とすることが好ましい。また、傾きθが小さすぎると、電界の印加による液晶分子１４Ａの回転方向（図３において矢印により示す方向）を一方向に設定することが困難となる。このため、傾きθは、２度以上とすることが好ましい。
【００３２】
本実施形態で線状電極２２Ｂは、中央線Ｘ０に対して線対称、且つ、中央線Ｙ０に対して線対称である。すなわち、中央線Ｘ０及びＹ０において傾きが逆になる。しかし、これに限らず、搭乗者の視線方向等を考慮して、中央線Ｘ０及びＹ０以外の位置を、傾きの変更位置としてもよい。例えば、中央より後方にするなど、任意の場所に設定することができる。
【００３３】
なお、液晶分子は球形ではなく、長楕円径であるとすると、見る方向によって、短く見えたり、長く見えたりする。図４に示すように、分子が長く見える方向に見た場合、屈折率の小さい方向に光線が通過する場合には、波長の短い光（青色）の透過率が低くなり、黄色く見える。分子が短くなる方向に見た場合には、屈折率の大きい方向に光線が通過するために、波長の短い光の透過率が高くなるため、青色を帯びて見える。
【００３４】
また、本実施形態のポジに限らず、次に述べるネガの場合のいずれにおいても、本実施形態の中央線Ｘ０やＹ０のような線状電極２２Ｂの傾きが切り替わるラインが存在する。しかし、この傾きの切り替え部分における電界異常と、これに伴う液晶分子の回転異常の範囲とは、一般的なマルチドメイン（ＩＰＳ／ＦＦＳ）で線状電極が配置されている場合と同様であるため、問題とならない。
【００３５】
（第２実施形態）
次に、本実施形態の第２実施形態について説明する。第２実施形態は、液晶層１４において、液晶材料としてネガ型液晶が用いられる。ネガ型液晶とは、液晶の誘電率異方性が負の液晶である。
図６は、第１実施形態の図４と同様に、下側積層体１３の平面図（前上から見下ろした図）であり、下側積層体１３Ｎにおける線状電極２２ＢＮの配置を示す。
【００３６】
図７は、第１実施形態と図５と同様に、図６の領域Ｓにおける線状電極２２ＢＮと、液晶分子１４ＡＮとの関係を示す図である。図中矢印ＺＮは、配向膜のラビング方向、即ち配向膜の配向規制力方向Ｚである。本実施形態においても、液晶分子１４ＡＮの長軸は無電解時において、配向規制力方向Ｚを向いており、ノーマリーブラックの状態である。
本実施形態でも、線状電極２２ＢＮの延在方向と、配向規制力方向Ｚとのなす角度をθとする。なお、本実施形態では、配向規制力方向Ｚと、車両の進行方向Ｙとは同じ方向で、すなわち配向規制力方向ＺとＹ方向とは一致している。また、角度θは、図７に示す鈍角方向である。
【００３７】
図６に示すように、本実施形態においても線状電極２２Ｂの角度θは、給電部３１が設けられている外周部で最も大きく、そこから遠ざかるに従って、徐々に減少し、中央部もっとも小さい。
具体的には、中央の点Ｏ付近において角度θは９２度程度であり、周辺部に行くほど、少しずつ角度が大きくなり、最外周部で最大１０５度程度である。図中、ラインＬ９２，Ｌ９５，Ｌ１００，Ｌ１０５はそれぞれ角度θが９２度，９５度，１００度，１０５度の位置を結ぶ線である。すなわち、線状電極２２Ｂにおいて、ラインＬ９２と交差する点での角度θは９２度、ラインＬ９５と交差する点での角度θは９５度、ラインＬ１００と交差する点での角度θは１００度、ラインＬ１０５と交差する点での角度θは１０５度である。
【００３８】
本実施形態においても、第１実施形態と同様に、配向方向に対する線状電極２２Ｂの傾きが、給電部３１から遠ざかるに従って減少していることから、線状電極２２Ｂの延長方向における透過率の変化を低減することができ、高品位の調光フィルム１を提供することができる。
【００３９】
（他の実施形態）
以上、本発明の実施に好適な具体的な構成を詳述したが、本発明は、本発明の趣旨を逸脱しない範囲で、上述の実施形態を組み合わせ、さらには上述の実施形態を種々に変更することができる。
【００４０】
例えば上述の実施形態では、シングルドメインにより調光フィルムを構成する場合について述べたが、本発明はこれに限らず、マルチドメインにより調光フィルムを構成する場合にも広く適用することができる。
【符号の説明】
【００４１】
Ｚ    配向規制力方向
１，１Ｎ    調光フィルム
１２    上側積層体
１３    下側積層体
１４    液晶層
１４Ａ    液晶分子
１５    液晶セル
１６，１７    直線偏光板
１８，１９    位相差フィルム
２１Ａ，２１Ｂ    基材
２２Ａ    透明電極
２２Ｂ    線状電極
２３    絶縁層
２４    スペーサー
２４Ａ、２４Ｂ    配向膜
２５    シール剤
３１    給電部
【図１】
2018116208.tif 000003
【図２】
2018116208.tif 000004
【図３】
2018116208.tif 000005
【図４】
2018116208.tif 000006
【図５】
2018116208.tif 000007
【図６】
2018116208.tif 000008
【図７】
2018116208.tif 000009